(57)【要約】      （修正有）【課題】視差によるタッチパネルの接触ポイントと表示部の表示ポイントとの位置ずれを低コストで補正可能にする。【解決手段】電子機器は、表示面を有する表示部と、表示面に設けられ、接触ポイントのＸＹ座標位置を検出するタッチパネル５０と、表示部の回転角度を示す角度情報を検出する角度情報検出部１０１と、操作者の身長情報を取得する身長情報取得部１０２と、表示部の地面からの高さを示す高さ情報を取得する高さ情報取得部１０３と、接触ポイントと表示ポイントのＸＹ方向の位置ずれ量を補正するためのＸＹ方向の補正量を、角度情報、身長情報、及び高さ情報に対応付けて記憶する補正量記憶部１０４と、タッチパネルにより接触ポイントのＸＹ座標位置が検出されたときに、角度情報、身長情報、及び、高さ情報に対応付けて記憶されているＸＹ方向の補正量を用いて、接触ポイントを表示ポイントに置き換える補正を行う位置補正部１０５とを備える。【選択図】図３
2016062546.tif 000002
【特許請求の範囲】
【請求項１】
表示面を有し、操作者の視線に対する角度を変化可能に、予め定められた角度範囲内で回転する表示部と、
前記表示面に設けられ、接触ポイントのＸＹ座標位置を検出するタッチパネルと、
前記表示部の回転角度を示す角度情報を検出する角度情報検出部と、
前記操作者の身長情報を取得する身長情報取得部と、
前記表示部の地面からの高さを示す高さ情報を取得する高さ情報取得部と、
前記接触ポイントのＸＹ座標位置と、前記表示面における表示ポイントのＸＹ座標位置とのＸＹ方向の位置ずれ量を補正するためのＸＹ方向の補正量を、前記角度情報、前記身長情報、及び前記高さ情報に対応付けて予め記憶する補正量記憶部と、
前記タッチパネルにより前記接触ポイントのＸＹ座標位置が検出されたときに、前記角度情報検出部により検出された前記角度情報、前記身長情報取得部により取得された前記身長情報、及び、前記高さ情報取得部により取得された前記高さ情報に対応付けて前記記憶されているＸＹ方向の補正量を用いて、前記接触ポイントのＸＹ座標位置を前記表示ポイントのＸＹ座標位置に置き換える補正を行う位置補正部と、を備える電子機器。
【請求項２】
前記操作者の身長情報を含む前記操作者の固有情報を記憶する固有情報記憶部と、
前記固有情報記憶部に記憶されている固有情報に基づいて、前記操作者の当該装置へのログイン処理を行うログイン処理部と、を備え、
前記身長情報取得部は、
前記固有情報から前記身長情報を読み出すことによって、前記身長情報を取得する請求項１に記載の電子機器。
【請求項３】
前記表示部の地面からの高さを示す高さ情報が入力される高さ情報入力部を備え、
前記高さ情報取得部は、
前記高さ情報入力部に入力された前記高さ情報を取得する請求項１又は請求項２に記載の電子機器。
【請求項４】
請求項１乃至請求項３のいずれかに記載の電子機器であって、
記録媒体に画像形成を行う画像形成部と、
前記画像形成部による画像形成動作についての操作指示を前記タッチパネルから受け付ける制御部と、を備える画像形成装置。
【発明の詳細な説明】
【技術分野】
【０００１】
本発明は、画像を表示する表示部を備えた電子機器、及び画像形成装置に関する。
【背景技術】
【０００２】
一般的なタッチパネル入力方式が採用された座標入力装置を備える電子式金銭登録機、ワードプロセッサー、携帯型端末装置等の各種電子機器では、座標入力装置におけるタッチパネルに設けられた入力座標系と、液晶表示パネルに設けられた表示座標系とを、相互に対応した状態で積層したものがある。このような電子機器では、タッチパネルの入力座標系にポイント入力された座標は、液晶表示パネルの表示座標系に表示され、タッチパネルを通して目視される。
【０００３】
上記積層されたタッチパネルの表面と、液晶表示パネルの表示面との間に適当な間隔が設けられる場合、操作者のタッチパネル表面に対する視線が傾斜した状態になっていると、液晶表示パネルの表示面における表示ポイントを透明なタッチパネルを通して目視した際に、視差が生じ、タッチパネルの接触ポイントと、液晶表示パネルの表示ポイントとがずれた状態で目視されてしまう。このため、操作者が表示ポイントの座標位置を押圧したつもりでタッチパネルを押圧しても、タッチパネルは、表示ポイントの座標位置ではなく実際に押圧された接触ポイントの座標位置を検出してしまう。
【０００４】
特に、座標入力装置が機器本体に対して回転可能に取り付けられている場合に、機器本体に対する座標入力装置の傾斜角度を変更すると、視差によって、タッチパネルの接触ポイントと、液晶表示パネルの表示ポイントとがずれることになる。
【０００５】
このような問題を解決するために、特許文献１に開示された装置では、装置本体に対して表示パネルの傾斜角度が変更されると、装置本体に対する表示パネルの傾斜角度に対応して、タッチパネルを表示パネルに対してスライドさせるスライド機構が設けられ、当該スライド機構のスライド動作によって、視差によるタッチパネルの接触ポイントと液晶表示パネルの表示ポイントとの座標位置の位置ずれが補正されている。
【先行技術文献】
【特許文献】
【０００６】
【特許文献１】特開平０３−４８３１８号公報
【発明の概要】
【発明が解決しようとする課題】
【０００７】
しかしながら、上記特許文献１に開示された装置のように、タッチパネルの接触ポイントと液晶表示パネルの表示ポイントとの位置ずれをスライド機構で機械的に補正する方法では、コストがかかるという欠点がある。
【０００８】
本発明は、上記の問題を解決するためになされたもので、視差によるタッチパネルの接触ポイントと表示部の表示ポイントとの位置ずれを従来よりも低コストで補正可能にすることを目的とする。
【課題を解決するための手段】
【０００９】
本発明の一局面に係る電子機器は、表示面を有し、操作者の視線に対する角度を変化可能に、予め定められた角度範囲内で回転する表示部と、
前記表示面に設けられ、接触ポイントのＸＹ座標位置を検出するタッチパネルと、
前記表示部の回転角度を示す角度情報を検出する角度情報検出部と、
前記操作者の身長情報を取得する身長情報取得部と、
前記表示部の地面からの高さを示す高さ情報を取得する高さ情報取得部と、
前記接触ポイントのＸＹ座標位置と、前記表示面における表示ポイントのＸＹ座標位置とのＸＹ方向の位置ずれ量を補正するためのＸＹ方向の補正量を、前記角度情報、前記身長情報、及び前記高さ情報に対応付けて予め記憶する補正量記憶部と、
前記タッチパネルにより前記接触ポイントのＸＹ座標位置が検出されたときに、前記角度情報検出部により検出された前記角度情報、前記身長情報取得部により取得された前記身長情報、及び、前記高さ情報取得部により取得された前記高さ情報に対応付けて前記記憶されているＸＹ方向の補正量を用いて、前記接触ポイントのＸＹ座標位置を前記表示ポイントのＸＹ座標位置に置き換える補正を行う位置補正部と、を備える。
【発明の効果】
【００１０】
本発明によれば、視差によるタッチパネルの接触ポイントと、表示部の表示ポイントとの位置ずれを従来よりも低コストで補正することが可能になる。
【図面の簡単な説明】
【００１１】
【図１】本発明の一実施形態に係る画像形成装置の構造を示す正面断面図である。
【図２】操作部の主要部分を示す概略模式図である。
【図３】画像形成装置の主要内部構成を示す機能ブロック図である。
【図４】操作者のＬＣＤの表示面に対する視線を示す図である。
【図５】操作者のＬＣＤの表示面に対する視線を示す図である。
【図６】操作者のＬＣＤの表示面に対する視線を示す図である。
【図７】操作者のＬＣＤの表示面に対する視線を示す図である。
【図８】タッチパネルにおける接触ポイントのＸＹ座標位置と、表示面における表示ポイントのＸＹ座標位置とのＸＹ方向の位置ずれ量を示す図である。
【図９】接触ポイントのＸＹ座標位置と表示ポイントのＸＹ座標位置との位置ずれの補正処理動作を示すフローチャートである。
【発明を実施するための形態】
【００１２】
以下、本発明の一実施形態に係る電子機器、及び画像形成装置について図面を参照して説明する。図１は、本発明の一実施形態に係る画像形成装置の構造を示す正面断面図である。
【００１３】
本発明に係る電子機器の一実施形態である画像形成装置１は、例えば、コピー機能、プリンター機能、スキャナー機能及びファクシミリ機能のような複数の機能を兼ね備えた複合機である。画像形成装置１は、装置本体１１に、操作部４７、画像形成部１２、定着部１３、給紙部１４、原稿給送部６及び原稿読取部５等を備えて構成されている。
【００１４】
画像形成装置１が原稿読取動作を行う場合、原稿給送部６により給送されてくる原稿又は原稿載置ガラス１６１に載置された原稿の画像を原稿読取部５が光学的に読み取り、画像データを生成する。原稿読取部５により生成された画像データは内蔵ＨＤＤ又はネットワーク接続されたコンピューター等に保存される。
【００１５】
画像形成装置１が画像形成動作を行う場合は、原稿読取動作により生成された画像データ又はネットワーク接続されたコンピューターから受信した画像データ又は内蔵ＨＤＤに記憶されている画像データ等に基づいて、画像形成部１２が、給紙部１４から給紙される記録媒体としての記録紙Ｐにトナー像を形成する。カラー印刷を行う場合、画像形成部１２のマゼンタ用の画像形成ユニット１２Ｍ、シアン用の画像形成ユニット１２Ｃ、イエロー用の画像形成ユニット１２Ｙ及びブラック用の画像形成ユニット１２Ｂｋは、それぞれに、画像データを構成するそれぞれの色成分からなる画像に基づいて、帯電、露光及び現像の工程により感光体ドラム１２１上にトナー像を形成し、トナー像を一次転写ローラー１２６により中間転写ベルト１２５上に転写させる。
【００１６】
中間転写ベルト１２５上に転写される各色のトナー画像は、転写タイミングを調整して中間転写ベルト１２５上で重ね合わされ、カラーのトナー像となる。二次転写ローラー２１０は、中間転写ベルト１２５の表面に形成されたカラーのトナー像を、中間転写ベルト１２５を挟んで駆動ローラー１２５Ａとのニップ部Ｎにおいて、給紙部１４から搬送路１９０を搬送されてきた記録紙Ｐに転写させる。この後、定着部１３が記録紙Ｐ上のトナー像を熱圧着により記録紙Ｐに定着させる。定着処理の完了したカラー画像形成済みの記録紙Ｐは、排出トレイ１５１に排出される。
【００１７】
給紙部１４は、複数の給紙カセットを備える。制御部１００（図３参照）は、操作者による指示で指定されたサイズの記録紙が収容された給紙カセットのピックアップローラー１４５を回転駆動させて、各給紙カセットに収容されている記録紙Ｐをニップ部Ｎに向けて搬送させる。
【００１８】
尚、画像形成装置１において、両面印刷を行う場合は、画像形成部１２より一方の面に画像が形成された記録紙Ｐを、排出ローラー対１５９にニップされた状態とした後、記録紙Ｐを排出ローラー対１５９によりスイッチバックさせて反転搬送路１９５に送り、搬送ローラー対１９により、ニップ部Ｎ及び定着部１３に対して記録紙Ｐの搬送方向上流域に再度搬送する。これにより、画像形成部１２により記録紙の他方の面に画像が形成される。
【００１９】
図２は、操作部４７の主要部分を示す概略模式図である。操作部４７は、画像形成装置１が実行可能な各種動作及び処理について操作者から画像形成動作実行指示や原稿読取動作実行指示等の指示を受け付ける。操作部４７には表示部４７３の地面からの高さを示す高さ情報が入力される。操作部４７は、特許請求の範囲における高さ情報入力部の一例となる。
【００２０】
操作部４７は、操作者への操作案内等の画像を表示するＬＣＤ（Liquid Crystal Display）４７３と、抵抗膜式の透明なタッチパネル５０と、回転機構２０とを備えている。ＬＣＤ４７３は、特許請求の範囲における表示部の一例となる。図２に示すように、ＬＣＤ４７３及びタッチパネル５０は、回転軸２４の高さを通る水平線に対してθ（例えば、１５度）傾斜した状態で装置本体１１に保持されている。
【００２１】
ＬＣＤ４７３は、表示面４７３Ａを有し、操作者の視線に対する角度を変化可能に、予め定められた角度範囲内で回転する。
【００２２】
タッチパネル５０は、表示面４７３Ａに設けられ、当該タッチパネル５０への接触ポイントのＸＹ座標位置を検出する。例えば、抵抗膜方式の場合、タッチパネル５０は、パネル部、回路部、及びＡ／Ｄ変換部等を備えている。パネル部は、透明かつ導電性を有する金属等からなり抵抗値が異なる一対の抵抗膜を有する。各抵抗膜は、回路部やＡ／Ｄ変換部等を介して制御部１００（図３）に接続される。制御部１００は、回路部のトランジスタ等を制御することで、抵抗膜間の抵抗値の変化を検出し、接触ポイントのＸＹ座標位置を検出する。
【００２３】
回転機構２０は、回転軸２４を中心としてＬＣＤ４７３及びタッチパネル５０に回転動作を行わせる。回転機構２０は、回転軸２４、従動ギア２５、ステッピングモーター２６、及び駆動ギア２８を備える。回転軸２４は、その一端に従動ギア２５を取り付けた状態で装置本体１１に取り付けられている。ステッピングモーター２６は、装置本体１１内部において従動ギア２５の直下に配置されている。このステッピングモーター２６の回転軸２７には、従動ギア２５と噛合う位置に駆動ギア２８が取付けられている。ステッピングモーター２６は、制御部１００（図３）によって制御される。制御部１００は、ＬＣＤ４７３及びタッチパネル５０の回転操作を受け付けると、ステッピングモーター２６に駆動電圧を印加し、ステッピングモーター２６を回転駆動して回転軸２４の回転方向及び回転角度を操作者により指示された方向及び角度にそれぞれ調整する。ここで、ステッピングモーター２６に引加される駆動電圧は、例えば、電圧レベルの正負（プラスマイナス）によって時計回りか反時計周りかの回転方向を示す。
【００２４】
図３は、画像形成装置１の主要内部構成を示す機能ブロック図である。画像形成装置１は、制御ユニット１０、原稿給送部６、原稿読取部５、画像形成部１２、ＨＤＤ９２、定着部１３、回転機構２０、操作部４７、ファクシミリ通信部７１及びネットワークインターフェース部９１等を備える。尚、図１を用いて説明した構成要素と同じものには同じ番号を付し、説明を省略する。
【００２５】
原稿読取部５は、制御ユニット１０に備えられる制御部１００による制御の下、光照射部及びＣＣＤセンサー等を有する読取機構１６３（図１）を備える。原稿読取部５は、光照射部により原稿を照射し、その反射光をＣＣＤセンサーで受光することにより、原稿から画像を読み取る。
【００２６】
ＨＤＤ９２は、原稿読取部５によって読み取られた原稿の画像データ等を記憶する大容量の不揮発性記憶装置である。
【００２７】
ファクシミリ通信部７１は、図略の符号化／復号化部、変復調部及びＮＣＵ（Network Control Unit）を備え、公衆電話回線網を用いてのファクシミリの送信を行うものである。
【００２８】
ネットワークインターフェース部９１は、ＬＡＮボード等の通信モジュールから構成され、ネットワークインターフェース部９１に接続されたＬＡＮ等を介して、ローカルエリア内又はインターネット上のパーソナルコンピューター等の外部装置３００と種々のデータの送受信を行う。
【００２９】
制御ユニット１０は、ＣＰＵ(Central Processing Unit)、ＲＡＭ、ＲＯＭ及び専用のハードウェア回路等から構成される。制御ユニット１０は、制御部１００、角度情報検出部１０１、身長情報取得部１０２、高さ情報取得部１０３、補正量記憶部１０４、位置補正部１０５、ログイン情報記憶部１０６、及びログイン処理部１０７を備える。
【００３０】
制御部１００は、画像形成装置１の全体的な動作制御を司る。例えば、制御部１００は、画像形成部１２による画像形成動作についての操作指示をタッチパネル５０から受け付ける。
【００３１】
ログイン情報記憶部１０６は、操作者ＩＤ及び／又はパスワードからなるログイン情報を記憶する。ログイン情報記憶部１０６は特許請求の範囲における固有情報記憶部の一例となる。操作者ＩＤには、例えば、操作者の氏名、所属部署、性別、及び年齢を示す情報に加えて、身長情報が含まれる。ログイン情報は特許請求の範囲における固有情報の一例となる。
【００３２】
ログイン処理部１０７は、ログイン情報記憶部１０６に記憶されているログイン情報に基づいて、操作者の画像形成装置１へのログイン処理を行う。ログイン処理部１０７は、操作部４７に操作者から入力されたログイン情報を受け付けると、当該ログイン情報が、ログイン情報記憶部１０６に予め記憶されている正規のログイン情報に一致するかを判断し、一致した場合に当該操作者のログインを許可する操作者認証を行う。
【００３３】
角度情報検出部１０１は、ＬＣＤ４７３及びタッチパネル５０の回転角度を示す角度情報を検出する。例えば、角度情報検出部１０１は、回転機構２０に備えられたステッピングモーター２６に印加される駆動電圧が示すパルス信号のパルス数をカウントすることによって、ＬＣＤ４７３及びタッチパネル５０の回転角度を検出する。
【００３４】
身長情報取得部１０２は、操作者の身長情報を取得する。具体的に、身長情報取得部１０２は、ログイン情報記憶部１０６に記憶されているログイン情報から操作者の身長情報を読み出すことによって当該身長情報を取得する。
【００３５】
高さ情報取得部１０３は、ＬＣＤ４７３の地面からの高さを示す高さ情報を取得する。高さ情報取得部１０３は、操作部４７に操作者から入力された当該高さ情報を受け付けて、ＬＣＤ４７３の地面からの高さを取得する。
【００３６】
補正量記憶部１０４は、タッチパネル５０の接触ポイントのＸＹ座標位置と、ＬＣＤ４７３の表示面４７３Ａにおける表示ポイントのＸＹ座標位置とのＸＹ方向の位置ずれ量を補正するためのＸＹ方向の補正量を、ＬＣＤ４７３の回転角度を示す角度情報、操作者の身長情報、及びＬＣＤ４７３の地面からの高さを示す高さ情報に対応付けて記憶する。例えば、補正量記憶部１０４は、角度情報、身長情報、及び高さ情報の組み合わせに対応するＸＹ方向の補正量をデータテーブルとして記憶している。
【００３７】
位置補正部１０５は、タッチパネル５０により接触ポイントのＸＹ座標位置が検出されたときに、角度情報検出部１０１により検出された角度情報、身長情報取得部１０２により取得された身長情報、及び、高さ情報取得部１０３により取得された高さ情報に対応付けて補正量記憶部１０４に記憶されているＸＹ方向の補正量を用いて、接触ポイントのＸＹ座標位置を表示ポイントのＸＹ座標位置に置き換える補正を行う。
【００３８】
制御部１００は、原稿給送部６、原稿読取部５、画像形成部１２、ＨＤＤ９２、定着部１３、回転機構２０、操作部４７、ファクシミリ通信部７１及びネットワークインターフェース部９１等と接続され、これら各部の制御を行う。
【００３９】
制御ユニット１０は、画像処理プログラムに従った動作により、制御部１００として機能する。但し、当該制御部１００は、制御ユニット１０による画像処理プログラムに従った動作によらず、それぞれハード回路により構成することも可能である。以下、特に触れない限り、各実施形態について同様である。
【００４０】
図４〜図７は、操作者２００のＬＣＤ４７３に対する視線を示す図である。図８は、タッチパネル５０における接触ポイントＰＡ〜ＰＤのＸＹ座標位置と、表示面４７３Ａにおける表示ポイントＰ１のＸＹ座標位置とのＸＹ方向の位置ずれ量を示す図である。図４〜図７において、ＬＣＤ４７３の地面からの高さＨ２は７５ｃｍである。
【００４１】
図４及び図５は、身長Ｈ１が１４０ｃｍの操作者２００がタッチパネル５０を操作する様子を示す。
【００４２】
図４では、ＬＣＤ４７３及びタッチパネル５０の回転角度θは２０度よりも大きい。この状態では、操作者２００は、図８に示すように、表示ポイントＰ１のＸＹ座標位置（Ｘ０、Ｙ０）を押圧したつもりでタッチパネル５０を押圧したが、視差によって押圧位置がＸＹ座標位置（Ｘ０、Ｙ０）から＋Ｙ方向に距離ＤＡだけずれてしまい、タッチパネル５０は、当該ＸＹ座標位置（Ｘ０、Ｙ０）ではなく接触ポイントＰＡのＸＹ座標位置（Ｘ０、Ｙ０＋ＤＡ）を検出してしまう。本実施形態では、補正量記憶部１０４が、回転角度θ（＞２０度）、身長Ｈ１：１４０ｃｍ、及び高さＨ２：７５ｃｍの組み合わせに対応する−Ｙ方向の補正量ＤＡを予め記憶している。位置補正部１０５は、タッチパネル５０により接触ポイントＰＡのＸＹ座標位置（Ｘ０、Ｙ０＋ＤＡ）が検出されたときに、当該−Ｙ方向の補正量ＤＡを用いて、距離ＤＡの分だけ接触ポイントＰＡの座標位置を−Ｙ方向にずらすことによって接触ポイントＰＡのＸＹ座標位置（Ｘ０、Ｙ０＋ＤＡ）を表示ポイントＰ１のＸＹ座標位置（Ｘ０、Ｙ０）に置き換える補正を行う。
【００４３】
図５では、ＬＣＤ４７３及びタッチパネル５０の回転角度θは２０度以下である。この状態では、操作者２００は、図８に示すように、表示ポイントＰ１を押圧したつもりでタッチパネル５０を押圧したが、視差によって押圧位置が表示ポイントＰ１から−Ｙ方向に距離ＤＢだけずれてしまい、タッチパネル５０は、当該表示ポイントＰ１ではなく接触ポイントＰＢのＸＹ座標位置（Ｘ０、Ｙ０−ＤＢ）を検出してしまう。本実施形態では、補正量記憶部１０４が、回転角度θ（≦２０度）、身長Ｈ１：１４０ｃｍ、及び高さＨ２：７５ｃｍの組み合わせに対応する＋Ｙ方向の補正量ＤＢを予め記憶している。位置補正部１０５は、タッチパネル５０により接触ポイントＰＢのＸＹ座標位置（Ｘ０、Ｙ０−ＤＢ）が検出されたときに、当該＋Ｙ方向の補正量ＤＢを用いて、距離ＤＢの分だけ接触ポイントＰＢの座標位置を＋Ｙ方向にずらすことによって接触ポイントＰＢのＸＹ座標位置（Ｘ０、Ｙ０−ＤＢ）を表示ポイントＰ１のＸＹ座標位置（Ｘ０、Ｙ０）に置き換える補正を行う。
【００４４】
図６及び図７は、身長Ｈ１が１７０ｃｍの操作者２００がタッチパネル５０を操作する様子を示す。
【００４５】
図６では、ＬＣＤ４７３及びタッチパネル５０の回転角度θは２０度よりも大きい。この状態では、操作者２００は、図８に示すように、表示ポイントＰ１を押圧したつもりでタッチパネル５０を押圧したが、視差によって押圧位置が表示ポイントＰ１から＋Ｙ方向に距離ＤＣだけずれてしまい、タッチパネル５０は、当該表示ポイントＰ１ではなく接触ポイントＰＣのＸＹ座標位置（Ｘ０、Ｙ０＋ＤＣ）を検出してしまう。本実施形態では、補正量記憶部１０４が、回転角度θ（＞２０度）、身長Ｈ１：１７０ｃｍ、及び高さＨ２：７５ｃｍの組み合わせに対応する−Ｙ方向の補正量ＤＣを予め記憶している。位置補正部１０５は、当該補正量ＤＣの分だけ、接触ポイントＰＣの座標位置を−Ｙ方向にずらすことによって接触ポイントＰＣのＸＹ座標位置（Ｘ０、Ｙ０＋ＤＣ）を表示ポイントＰ１のＸＹ座標位置（Ｘ０、Ｙ０）に置き換える補正を行う。
【００４６】
図７では、ＬＣＤ４７３の回転角度θは２０度以下である。この状態では、操作者２００は、図８に示すように、表示ポイントＰ１を押圧したつもりでタッチパネル５０を押圧したが、視差によって押圧位置が表示ポイントＰ１から−Ｙ方向に距離ＤＤだけずれてしまい、タッチパネル５０は、当該表示ポイントＰ１ではなく接触ポイントＰＤのＸＹ座標位置（Ｘ０、Ｙ０−ＤＤ）を検出してしまう。本実施形態では、補正量記憶部１０４が、回転角度θ（≦２０度）、身長Ｈ１：１７０ｃｍ、及び高さＨ２：７５ｃｍの組み合わせに対応する＋Ｙ方向の補正量ＤＤを予め記憶している。位置補正部１０５は、当該補正量ＤＤの分だけ、接触ポイントＰＤの座標位置を＋Ｙ方向にずらすことによって接触ポイントＰＤのＸＹ座標位置（Ｘ０、Ｙ０−ＤＤ）を表示ポイントＰ１のＸＹ座標位置（Ｘ０、Ｙ０）に置き換える補正を行う。
【００４７】
次に、接触ポイントのＸＹ座標位置と表示ポイントのＸＹ座標位置との位置ずれの補正処理を説明する。図９は、接触ポイントのＸＹ座標位置と表示ポイントのＸＹ座標位置との位置ずれの補正処理動作を示すフローチャートである。
【００４８】
なお、画像形成装置１が地面にそのまま置かれているか、台の上に置かれているか、給紙装置の上に置かれているか等によって、ＬＣＤ４７３の地面からの高さが変わるため、画像形成装置１の初期設定で、操作部４７は、操作者から画像形成装置１の設置状態（ＬＣＤ４７３の地面からの高さ）の入力を受け付けており、高さ情報取得部１０３は当該地面からの高さを示す高さ情報を取得しているものとする。
【００４９】
また、補正量記憶部１０４は、ＬＣＤ４７３の回転角度を示す角度情報、操作者の身長情報、及びＬＣＤ４７３の地面からの高さを示す高さ情報の組み合わせに対応する補正量をデータテーブルとして予め記憶しているものとする。
【００５０】
操作者は、画像形成装置１にジョブを入力しようとするとき、必要に応じて、操作部４７への操作者ＩＤ及び／又はパスワードからなるログイン情報の入力により、ログイン処理部１０７による操作者認証を受けて、画像形成装置１にログインするものとする。
【００５１】
ログイン処理部１０７は、操作部４７が操作者からのログイン情報を受け付けると、当該ログイン情報が、ログイン情報記憶部１０６に記憶されている正規のログイン情報に一致するかを判断する（Ｓ１）。ログイン情報が正規のログイン情報と一致しない場合（Ｓ１でＮＯ）、制御部１００は、処理を終了させる指示を受け付け、画像形成装置１の補正処理動作を終了させる。ログイン情報が正規のログイン情報と一致した場合（Ｓ１でＹＥＳ）、当該操作者のログインを許可する操作者認証を行う（Ｓ２）。
【００５２】
身長情報取得部１０２は、ログイン情報記憶部１０６に記憶されているログイン情報から操作者の身長情報を読み出すことによって当該身長情報を取得する（Ｓ３）。
【００５３】
制御部１００は、ＬＣＤ４７３及びタッチパネル５０の回転操作を受け付けると、ステッピングモーター２６に駆動電圧を印加し、ステッピングモーター２６を回転駆動して回転軸２４の回転方向及び回転角度を操作者により指示された方向及び角度にそれぞれ調整する。角度情報検出部１０１は、ステッピングモーター２６に印加される駆動電圧が示すパルス信号のパルス数をカウントすることによって、ＬＣＤ４７３及びタッチパネル５０の回転角度を示す角度情報を検出する（Ｓ４）。
【００５４】
制御部１００は、タッチパネル５０の押圧操作があったか否かを検出する（Ｓ５）。押圧操作がない場合（Ｓ５でＮＯ）、制御部１００は、処理を終了させる指示を受け付け、補正処理動作を終了させる。押圧操作を受けたタッチパネル５０により接触ポイントのＸＹ座標位置が検出された場合（Ｓ５でＹＥＳ）、位置補正部１０５は、角度情報検出部１０１により検出された角度情報、身長情報取得部１０２により取得された身長情報、及び、高さ情報取得部１０３により取得された高さ情報に対応付けて補正量記憶部１０４に記憶されているＸＹ方向の補正量を当該補正量記憶部１０４から読み出す（Ｓ６）。
【００５５】
そして、位置補正部１０５は、読み出したＸＹ方向の補正量を用いて、接触ポイントのＸＹ座標位置を表示ポイントのＸＹ座標位置に置き換える、上述したような補正を行う（Ｓ７）。
【００５６】
そして、制御部１００は、処理を終了させる指示を受け付け、接触ポイントのＸＹ座標位置と表示ポイントのＸＹ座標位置との位置ずれの補正処理動作を終了させる。
【００５７】
本実施形態では、操作者が表示面４７３Ａにおける表示ポイントを押圧したつもりでタッチパネル５０を押圧したが、視差によって、タッチパネル５０が表示ポイントと異なる接触ポイントの押圧を検出してしまったとしても、位置補正部１０５が、接触ポイントのＸＹ座標位置を表示ポイントのＸＹ座標位置に置き換えてくれるので、制御部１００は、置き換えられたＸＹ座標位置を取得することで、接触ポイントが表示ポイントと一致しているように取り扱うことができ、タッチパネル５０により表示ポイントの押圧が検出されたつもりで各種の操作指示を受け付けることができる。
【００５８】
本実施形態では、従来のようなタッチパネルを表示部に対してスライドさせるスライド機構を用いなくても、位置補正部１０５は、視差によるタッチパネル５０の接触ポイントとＬＣＤ４７３の表示ポイントとの位置ずれを補正できる。そのため、位置補正部１０５は、当該位置ずれを従来よりも低コストで補正でき、当該位置ずれによるタッチパネル５０の誤操作を低コストで解消できる。
【００５９】
本実施形態では、補正量記憶部１０４は、ＬＣＤ４７３の回転角度を示す角度情報、操作者の身長情報、及びＬＣＤ４７３の地面からの高さを示す高さ情報の組み合わせに対応するＸＹ方向の補正量をデータテーブルとして記憶している。これにより、位置補正部１０５は、当該組み合わせに対応付けて補正量記憶部１０４に記憶されているＸＹ方向の補正量を用いて接触ポイントと表示ポイントとの位置ずれを補正するので、操作者ごとに最適な位置ずれ補正を実現できる。
【００６０】
本実施形態では、位置補正部１０５は、接触ポイントと表示ポイントとの位置ずれをＬＣＤ４７３の回転角度を示す角度情報、操作者の身長情報、及びＬＣＤ４７３の地面からの高さを示す高さ情報の組み合わせに応じて補正できるので、画像形成装置１では、厚みのある安価なタッチパネル５０でも問題なく使用することができる。
【００６１】
本実施形態では、身長情報取得部１０２は、ログイン処理部１０７によりログインが許可された操作者の身長情報を取得する。そのため、位置補正部１０５は、操作者の身長を考慮して接触ポイントと表示ポイントとの位置ずれの補正を実現できるので、操作者ごとに最適な位置ずれ補正を実現できる。
【００６２】
なお、本発明は上記実施の形態の構成に限られず種々の変形が可能である。例えば、上記実施形態では、本発明に係る電子機器の一実施形態として複合機としての画像形成装置を用いて説明しているが、これは一例に過ぎず、他の画像形成装置、例えば、プリンター、コピー機、ファクシミリ装置等でもよいし、更には、他の電子機器、例えば、画像表示装置等の表示部を備えた機器であっても構わない。
【００６３】
また、上記実施形態では、図１乃至図９を用いて上記実施形態により示した構成及び処理は、本発明の一実施形態に過ぎず、本発明を当該構成及び処理に限定する趣旨ではない。
【符号の説明】
【００６４】
１                          画像形成装置
１０                        制御ユニット
１２                        画像形成部
２０                        回転機構
２６                        ステッピングモーター
４７                        操作部
５０                        タッチパネル
１００                      制御部
１０１                      角度情報検出部
１０２                      身長情報取得部
１０３                      高さ情報取得部
１０４                      補正量記憶部
１０５                      位置補正部
１０６                      ログイン情報記憶部
１０７                      ログイン処理部
２００                      操作者
４７３                      ＬＣＤ
４７３Ａ                    表示面
Ｈ１                        身長
Ｈ２                        ＬＣＤの地面からの高さ
Ｐ１                        表示ポイント
ＰＡ、ＰＢ、ＰＣ、ＰＤ      接触ポイント
【図１】
2016062546.tif 000003
【図２】
2016062546.tif 000004
【図３】
2016062546.tif 000005
【図４】
2016062546.tif 000006
【図５】
2016062546.tif 000007
【図６】
2016062546.tif 000008
【図７】
2016062546.tif 000009
【図８】
2016062546.tif 000010
【図９】
2016062546.tif 000011